(57)【要約】      （修正有）【課題】  異なるソースからのデータを整合したコンビネーション画面を端末デバイスに表示するインスタント対話型オーディオ／ビデオ管理システムを提供する。【解決手段】  ビデオプレイバック管理プロシージャとテキストトーク管理プロシージャとテキストブロードキャスタ制御プロシージャとマルチメディアプレイバックプロシージャーを設けた管理プログラムを具えるデータ処理デバイスと、ネットワークを介して該データ処理デバイスと直接、間接的に接続する端末デバイスとを含み、各種プロシージャはインスタントビデオ等の各種ウィンドウを発生させ、管理プログラムがこれらウィンドウを整合してコンビネーション画面とし、データ処理デバイスによって端末デバイスに送信して表示する。【選択図】  図１
2005269607.tif 000002
【特許請求の範囲】
【請求項１】
管理プログラムを具えるデータ処理デバイスと、ネットワークを介して該データ処理デバイスと直接、もしく間接的に接続する少なくとも１以上の端末デバイスとを含んでなるインスタント対話型オーディオ／ビデオ管理システムであって、
該管理プログラムはビデオプレイバック管理プロシージャと、テキストトーク管理プロシージャと、テキストブロードキャスタ制御プロシージャと、マルチメディアプレイバックプロシージャーと、を設けてなり、
該管理プログラムを実行すると、
該ビデオプレイバック管理プロシージャがインスタントビデオウィンドウを発生させ、
該テキストトーク管理プロシージャがテキストディスカッションウィンドウを発生させ、
該テキストブロードキャスティング管理プロシージャがテキストブロードティングウィンドウを発生させ、
該マルチメディアプレイバックプロシージャーがマルチメディアプレイバックウィンドウを発生させ、
該管理プログラムが該インスタントビデオウィンドウと、テキストトークウィンドと、該テキストブロードキャステイングウィンドウと、該マルチメディアプレイバックウィンドウとを整合してコンビネーション画面とし、
該データ処理デバイスが該コンビネーション画面を該端末デバイスに送信し、
該端末デバイスが該コンビネーションデバイスを再生し、各種異なるソースからのデータを該コンビネーション画面のそれぞれのウィンドウに表示することを特徴とするインスタント対話型オーディオ／ビデオ管理システム。
【請求項２】
前記データ処理デバイスがデコード／エンコードデバイスに接続し、該デコード／エンコードデバイスが少なくとも１以上のビデオカメラデバイスに接続し、該デコード／エンコードデバイスが該ビデオカメラデバイスの収録したビデオ信号に対して処理を行い、該ビデオプレイバック管理プロシージャの受信できるインスタント画像信号に転換し、該ビデオプレイバック管理プロシージャにおいてインスタントビデオ信号に処理を行い、インスタントビデオウィンドウを発生させることを特徴とする請求項１に記載のインスタント対話型オーディオ／ビデオ管理システム。
【請求項３】
前記テキストトーク管理プロシージャがスピーチ制限オプションと、端末デバイス消去オプションと、バックグラウンドスイッチオプションとを具え、該テキストトーク管理プロシージャを実行すると、該データ処理デバイスが該スピーチ制限オプションと、該端末デバイス消去オプションと、該バックグラウンドスイッチオプションとを含むテキストトーク管理画面を発生させ、
該スピーチ制限オプションが、それぞれの端末デバイスの毎回発するテキストデータの間隔時間を設定し、
該端末デバイス消去オプションを実行すると、不適宜なテキストデータを送信する端末デバイスと該データ処理デバイスとの接続状態を中断する機能が該データ処理デバイスの管理者に提供され、
該バックグラウンドスイッチオプションを実行すると、データ処理デバイスが適宜な背景画像を選択し、該テキストディスカッションウィンドウ内に提供することを特徴とする請求項１に記載のインスタント対話型オーディオ／ビデオ管理システム。
【請求項４】
前記テキストブロードキャスティング制御プロシージャがテキストコンテンツオプションと、追加オプションと、全選択オプションと、テキスト表示オプションと、テキスト切換速度オプションとを含み、
該テキストブロードキャスティング制御プロシージャを実行すると、該データ処理デバイスが該テテキストコンテンツオプションと、該追加オプションと、該全選択オプションと、該テキスト表示オプション、該テキスト切換速度オプションとを含むテキストブロードキャスティング画面を発生させ、
該テキストコンテンツオプションがテキストデータの入力に提供され、
該追加オプションが、該テキストコンテンツオプションによって入力されたテキストデータを該全選択オプションの次の一列に加え、
該全選択オプションが該追加オプションによって加えられたそれぞれの列のテキストデータを表示し、
該テキスト表示オプションが、選択に供する複数のテキストプレーバックフォーマットを設定して該全選択オプション内の全ての文字の表示方式を制御することを特徴とする請求項１に記載のインスタント対話型オーディオ／ビデオ管理システム。
【請求項５】
前記マルチメディアプレイバックプロシージャが、ビデオ位置オプションと、イメージ保留時間オプションと、ビデオ追加オプションと、全ビデオ位置オプションを設けてなるビデオディスプレープロシージャを含み、
該ビデオディスプレープロシージャを実行すると、該データ処理デバイスが、該ビデオ位置オプションと、該イメージ保留時間オプションと、該ビデオ追加オプションと、該全ビデオ位置オプションとを表示するビデオ管理画面を発生させ、
該ビデオ位置オプションがビデオソースの位置を入力し、
該イメージ保留時間オプションが、該ビデオソース位置における画像表示時間を設定し、
該ビデオ追加オプションが、該ビデオソース位置を該全ビデオ位置オプション内に追加し、
該マルチメディア表示ウィンドウに該全ビデオ位置オプション内の全てのビデオソース位置の画像表示時間に基づき、該ビデオソース位置の画像を順に再生することを特徴とする請求項１に記載のインスタント対話型オーディオ／ビデオ管理システム。
【請求項６】
前記マルチメディアプレイバックプロシージャが、返信メッセージオプションと、現時点メッセージオプションと、テキストディスカッションオプションを設けてなるインスタントアナウンスプロシージャを含み、
該インスタントアナウンスプロシージャを実行すると、該データ処理デバイスが、該返信メッセージオプションと、該現時点メッセージオプションと、該テキストディスカッションオプションを表示するインスタントアナウンス画面を発生させ、
該返信メッセージオプションが返信メッセージを入力し、
該現時点メッセージオプションが全ての返信メッセージを表示し、
該テキストディスカッションオプションが、該テキストディスカッションウィンドウ内のデータを表示し、他のマルチメディア表示ウィンドウに該現時点メッセージオプション内の全ての返信メッセージを順に再生し、該データ処理デバイスのユーザが返信するメッセージを該端末デバイスの受信に供することを特徴とする請求項１に記載のインスタント対話型オーディオ／ビデオ管理システム。
【請求項７】
前記マルチメディアプレイバックプロシージャが、テキストインフォメーションオプションと、テキスト保留時間オプションと、テキスト追加オプションと、全テキストオプションを設けてなるインスタントビデオインフォメーションプロシージャを含み、
該インスタントビデオインフォメーションプロシージャを実行すると、該データ処理デバイスが、該テキストインフォメーションオプションと、該テキスト保留時間オプションと、該全テキストオプションを表示するインスタントビデオインフォメーション画面を発生させ、
該テキストインフォメーションオプションが、インスタントビデオウィンドウの再生するコンテンツに関するテキストデータを入力し、
該テキスト追加オプションが、該テキストインフォメーションオプションに入力されたテキストデータを該全テキストオプションに追加して他のマルチメディア表示ウィンドウに全テキストオプション内のすべてのテキストデータを順に再生することを特徴とする請求項１に記載のインスタント対話型オーディオ／ビデオ管理システム。
【発明の詳細な説明】
【技術分野】
【０００１】
この発明はインスタント対話型オーディオ／ビデオ管理システムに関し、特に管理プログラムを具え、データを整合して複合式の画面とするデータ処理設備を具え、該データ処理設備から端末設備に該複合式の画面を送信して再生に供し、該複合式の画面によってユーザに文字、ピクチャ、画像、音声などのマルチメディアデータを提供するインスタント対話型オーディオ／ビデオ管理システムに関する。
【背景技術】
【０００２】
情報産業が急速に発展した新しい時代に至り、コンピュータを基礎として派生するハイテク製品とインターネットに関連する情報製品はめまぐるしい発達を遂げている。かかる情報製品は、人と人との時間と空間上の距離が短縮し、かつ生活に密着したものとなっている。また、インターネット通信にかかる製品は、新規な製品が次々と現れて、生活に密接したものとなっている。ネットワークは、中枢神経のシステムに例えることができ、その通信範囲は全面的なものとなっている。ネットワークシステムは人と人との距離を縮小することができる。過去において、人々は多くも時間と経費を費やして遠くの人と会うことができたが、今日においてはネットワーク技術における画像、音声を含むマルチメディア機能を通じて通信することで、画像と音声を世界各地に送信することができる、インターネットは情報の流通に不可欠のルートとなっている。
【０００３】
上述するとおり、インターネットの急速な発展により、従来の電子メールの送受信サービス以外に、音声、画像、及びアクティブな映像など、様々なマルチメディア機能によるサービスを提供できるようになった。よって、ユーザはかかるルートを介して多種多様の情報サービスの提供を受けることができるようになった。したがって、インターネットは人々の日常生活の一環となっている。ネットワーク業者はかかる潮流に乗って、例えばケーブルモデム、ＡＤＳＬモデムなど様々な高速ネットワーク設備を開発し、送信速度を高めている。さらに、一部のネットワーク業者は、ＶｏＩＰ（Voice  Over  IP  Device）などの様々なネットワーク周辺デバイスを開発し、ネットワークを介したオンライン通信サービスを提供し、従来の電話による長距離電話、もしくは国際電話の費用の大幅な節減を達成している。また、ＶｏＤ（Video  on  Demand）と称し、消費者がサーバーから随時ビデオデータを取り寄せ、即再生できる技術が開発されている。かかるＶｏＤ技術は画像と音声を含むため、メディア業者に適したものであり、消費者が希望するデータを自由に選択できるという目的を達成するために、対話型の効果を達成している。よって、ＶｏＤの普及は予期できるものである。
【０００４】
目下、メディア事業は、一部のチャネルを除いて、ビデオ信号をディジタルＴＶ信号に転換するためのセットアップボックスを取り付けた受信端に送信し、ディジタルＴＶ信号による高画質の画面を提供している。但し、番組の作成と放送については、従来の方法のままであり、実質的なディジタル対話型のサービス方式を達成していない。いわゆる対話型サービスによる対話型のザービス形態とは、受信するユーザが放映の過程を完全に制御でき、同時にマルチプレーヤーによるゲームの進行、ブックマークの設定、リモート取り扱い説明などを対話型で行うことのできるサービス指す。
【０００５】
例えば、スタジオからの生放送で、スタジオで録画と放送を進行させる際にコールインを行う場合、一般には受信端の受信者が直接電話をかけてリアルタイムで対話を行う。この場合、スタジオ内の司会者、スタジオ内の観衆、もしくはスタジオ内の制御室の作業員は、受信者を見ることができない。このため、番組全体の司会者、もしくはスタジオ内の司会者、スタジオ内の観衆と、電話をかける受信者との間に好ましい対話が発生せず、コールインの効果が大幅に下降する。また、制御室の作業員についても、電話を掛けて来る受信者を選択することができないため、番組の進行に干渉を受ける場合がある。
【０００６】
ディジタル式対話形態のサービス方式を生放送に応用することができれば、制御室の作業員は受信者の状況を効率良く把握することができ、かつ受信者の画像を現場に伝送してリアルタイムの対話を行うことができる。このため、スタジオ内の司会者、現場の観衆と受信者との間に、リアルタイムの画像と音声による好ましい対話が発生し、番組の効果を高めることができる。したがって、メディア事業においてディジタル式対話形態のサービス方式を如何にして達成するかは、極めて早急な達成が望まれる課題となっている。
【発明の開示】
【発明が解決しようとする課題】
【０００７】
この発明は、各種異なるソースからのデータを整合してコンビネーション画面として端末デバイスに表示するインスタント対話型オーディオ／ビデオ管理システムを提供することを課題とする。
【課題を解決するための手段】
【０００８】
そこで本発明者は、従来の技術に鑑み鋭意研究を重ねた結果、ビデオプレイバック管理プロシージャと、テキストトーク管理プロシージャと、テキストブロードキャスタ制御プロシージャと、マルチメディアプレイバックプロシージャーと、を設けた管理プログラムを具えるデータ処理デバイスと、ネットワークを介して該データ処理デバイスと直接、もしく間接的に接続する少なくとも１以上の端末デバイスとを含んでなるインスタント対話型オーディオ／ビデオ管理システムによって課題を解決できる点に着眼し、係る知見に基づき本発明を完成させた。
以下、この発明について具体的に説明する。
【０００９】
請求項１に記載するインスタント対話型オーディオ／ビデオ管理システムは、管理プログラムを具えるデータ処理デバイスと、ネットワークを介して該データ処理デバイスと直接、もしく間接的に接続する少なくとも１以上の端末デバイスとを含んでなるインスタント対話型オーディオ／ビデオ管理システムであって、
該管理プログラムはビデオプレイバック管理プロシージャと、テキストトーク管理プロシージャと、テキストブロードキャスタ制御プロシージャと、マルチメディアプレイバックプロシージャーと、を設けてなり、
該管理プログラムを実行すると、
該ビデオプレイバック管理プロシージャがインスタントビデオウィンドウを発生させ、
該テキストトーク管理プロシージャがテキストディスカッションウィンドウを発生させ、
該テキストブロードキャスティング管理プロシージャがテキストブロードティングウィンドウを発生させ、
該マルチメディアプレイバックプロシージャーがマルチメディアプレイバックウィンドウを発生させ、
該管理プログラムが該インスタントビデオウィンドウと、テキストトークウィンドと、該テキストブロードキャステイングウィンドウと、該マルチメディアプレイバックウィンドウとを整合してコンビネーション画面とし、
該データ処理デバイスが該コンビネーション画面を該端末デバイスに送信し、
該端末デバイスが該コンビネーションデバイスを再生し、各種異なるソースからのデータを該コンビネーション画面のそれぞれのウィンドウに表示する。
【００１０】
請求項２に記載するインスタント対話型オーディオ／ビデオ管理システムは、請求項１におけるデータ処理デバイスがデコード／エンコードデバイスに接続し、該デコード／エンコードデバイスが少なくとも１以上のビデオカメラデバイスに接続し、該デコード／エンコードデバイスが該ビデオカメラデバイスの収録したビデオ信号に対して処理を行い、該ビデオプレイバック管理プロシージャの受信できるインスタント画像信号に転換し、該ビデオプレイバック管理プロシージャにおいてインスタントビデオ信号に処理を行い、インスタントビデオウィンドウを発生させる。
【００１１】
請求項３に記載するインスタント対話型オーディオ／ビデオ管理システムは、請求項１におけるテキストトーク管理プロシージャがスピーチ制限オプションと、端末デバイス消去オプションと、バックグラウンドスイッチオプションとを具え、該テキストトーク管理プロシージャを実行すると、該データ処理デバイスが該スピーチ制限オプションと、該端末デバイス消去オプションと、該バックグラウンドスイッチオプションとを含むテキストトーク管理画面を発生させ、
該スピーチ制限オプションが、それぞれの端末デバイスの毎回発するテキストデータの間隔時間を設定し、
該端末デバイス消去オプションを実行すると、不適宜なテキストデータを送信する端末デバイスと該データ処理デバイスとの接続状態を中断する機能が該データ処理デバイスの管理者に提供され、
該バックグラウンドスイッチオプションを実行すると、データ処理デバイスが適宜な背景画像を選択し、該テキストディスカッションウィンドウ内に提供する。
【００１２】
請求項４に記載するインスタント対話型オーディオ／ビデオ管理システムは、請求項１におけるテキストブロードキャスティング制御プロシージャがテキストコンテンツオプションと、追加オプションと、全選択オプションと、テキスト表示オプションと、テキスト切換速度オプションとを含み、
該テキストブロードキャスティング制御プロシージャを実行すると、該データ処理デバイスが該テテキストコンテンツオプションと、該追加オプションと、該全選択オプションと、該テキスト表示オプション、該テキスト切換速度オプションとを含むテキストブロードキャスティング画面を発生させ、
該テキストコンテンツオプションがテキストデータの入力に提供され、
該追加オプションが、該テキストコンテンツオプションによって入力されたテキストデータを該全選択オプションの次の一列に加え、
該全選択オプションが該追加オプションによって加えられたそれぞれの列のテキストデータを表示し、
該テキスト表示オプションが、選択に供する複数のテキストプレーバックフォーマットを設定して該全選択オプション内の全ての文字の表示方式を制御する。
【００１３】
請求項５に記載するインスタント対話型オーディオ／ビデオ管理システムは、請求項１におけるマルチメディアプレイバックプロシージャが、ビデオ位置オプションと、イメージ保留時間オプションと、ビデオ追加オプションと、全ビデオ位置オプションを設けてなるビデオディスプレープロシージャを含み、
該ビデオディスプレープロシージャを実行すると、該データ処理デバイスが、該ビデオ位置オプションと、該イメージ保留時間オプションと、該ビデオ追加オプションと、該全ビデオ位置オプションとを表示するビデオ管理画面を発生させ、
該ビデオ位置オプションがビデオソースの位置を入力し、
該イメージ保留時間オプションが、該ビデオソース位置における画像表示時間を設定し、
該ビデオ追加オプションが、該ビデオソース位置を該全ビデオ位置オプション内に追加し、
該マルチメディア表示ウィンドウに該全ビデオ位置オプション内の全てのビデオソース位置の画像表示時間に基づき、該ビデオソース位置の画像を順に再生する。
【００１４】
請求項６に記載するインスタント対話型オーディオ／ビデオ管理システムは、請求項１におけるマルチメディアプレイバックプロシージャが、返信メッセージオプションと、現時点メッセージオプションと、テキストディスカッションオプションを設けてなるインスタントアナウンスプロシージャを含み、
該インスタントアナウンスプロシージャを実行すると、該データ処理デバイスが、該返信メッセージオプションと、該現時点メッセージオプションと、該テキストディスカッションオプションを表示するインスタントアナウンス画面を発生させ、
該返信メッセージオプションが返信メッセージを入力し、
該現時点メッセージオプションが全ての返信メッセージを表示し、
該テキストディスカッションオプションが、該テキストディスカッションウィンドウ内のデータを表示し、他のマルチメディア表示ウィンドウに該現時点メッセージオプション内の全ての返信メッセージを順に再生し、該データ処理デバイスのユーザが返信するメッセージを該端末デバイスの受信に供する。
【００１５】
請求項７に記載するインスタント対話型オーディオ／ビデオ管理システムは、請求項１におけるマルチメディアプレイバックプロシージャが、テキストインフォメーションオプションと、テキスト保留時間オプションと、テキスト追加オプションと、全テキストオプションを設けてなるインスタントビデオインフォメーションプロシージャを含み、
該インスタントビデオインフォメーションプロシージャを実行すると、該データ処理デバイスが、該テキストインフォメーションオプションと、該テキスト保留時間オプションと、該全テキストオプションを表示するインスタントビデオインフォメーション画面を発生させ、
該テキストインフォメーションオプションが、インスタントビデオウィンドウの再生するコンテンツに関するテキストデータを入力し、
該テキスト追加オプションが、該テキストインフォメーションオプションに入力されたテキストデータを該全テキストオプションに追加して他のマルチメディア表示ウィンドウに全テキストオプション内のすべてのテキストデータを順に再生する。
【発明の効果】
【００１６】
本発明のインスタント対話型オーディオ／ビデオ管理システムは、異なるソースからのデータを整合してコンビネーション画面とし、端末デバイスに表示することができ、ユーザが画面を切り換える必要が無く便利であるとともに、対話型のデータの送受信を達成し、且つ不適宜な行為を行う端末デバイスの監視を行い、必要に応じてリンクを中断し、番組進行の秩序を維持できるという利点がある。
【発明を実施するための最良の形態】
【００１７】
この発明はインスタント対話型オーディオ／ビデオ管理システムを提供するものであって、図１、２に開示するようにデータ処理デバイス１（例えばコンピュータ）には管理プログラム２を設けてなる。該管理プログラム２は、ビデオプレイバック管理プロシージャ２３と、テキストトーク管理プロシージャ２１と、テキストブロードキャスティング制御プロシージャ２２と、少なくとも１以上のマルチメディアプレイバックプロシージャ２３とを具える。
【００１８】
該管理プログラム２を実行すると、上述のプロシージャが起動し、ビデオプレイバック管理プロシージャ２０がインスタントビデオウィンドウ３０を発生させ、テキストトーク管理プロシージャ２１がテキストディスカッションウィンドウ３１を発生させ、マルチメディアプレイバックプロシージャ２３がマルチメディア表示ウィンドウ３３を発生させる。また、管理プログラム２はインスタントビデオウィンドウ３０と、テキストディスカッションウィンドウ３１と、マルチメディア表示ウィンドウ３３とを整合してコンビネーション画面３とする。
【００１９】
したがって、データ処理デバイス１は、該コンビネーション画面３を例えばコンピュータ、テレビジョン、携帯電話機などである端末デバイス４に送信し、該端末デバイス４によってコンビネーション画面３を再生する。端末デバイス４のユーザはコンビネーション画面３に含まれるそれぞれの画面から各種情報を得ることができる。よって、従来のように端末デバイスにおいてそれぞれの画面に切り換えなければならず、インスタントビデオの対話型効果を達成することができないという欠点を解決する。
【００２０】
好ましい実施例においては、データ処理デバイス１にデコード／エンコードデバイス５に接続する。該デコード／エンコードデバイス５は、少なくとも１以上のビデオカメラデバイス６に接続する。よって、該デコード／エンコードデバイス５がビデオカメラデバイス６の収録したビデオ信号に対して処理を行い、ビデオプレイバック管理プロシージャ２０の受信できるインスタント画像信号に転換し、ビデオプレイバック管理プロシージャ２０においてインスタントビデオ信号に処理を行い、インスタントビデオウィンドウ３０を発生させる。
【００２１】
実施例において、データ処理デバイス１は直接、もしくは間接的にネットワーク７（例えばインターネット、電信ネットワーク、衛星ネットワークなど）を介して端末デバイス４にリンクする。よって、データ処理設備１は端末デバイス４の入力するテキストデータを受信することができ、さらにテキストトーク管理プロシージャ２１が端末デバイス４の入力したテキストデータに処理を行い、テキストディスカッションウィンドウ３１を発生させる。端末デバイス４がテキストディスカッションウィンドウ３１を処理する方法は、目下、サーチエンジンのチャットルームで普遍的に採用されている技術方法である。よってここでは詳述しない。
【００２２】
図３に開示するように、テキストトーク管理プロシージャ２１にはスピーチ制限オプション２１０、端末デバイス消去オプション２１１、バックグラウンドスイッチオプション２１２を設けてなる。よって、テキストトーク管理プロシージャ２１を実行すると、該データ処理デバイス１はテキストトーク管理画面８０を発生させ、該テキストトーク管理画面８０はスピーチ制限オプション２１０、端末デバイス消去オプション２１１、バックグラウンドスイッチオプション２１２を含む。
【００２３】
該スピーチ制限オプション２１０は、それぞれの端末デバイス４が毎回発するテキストデータの間隔時間を設定し、テキストディスカッションウィンドウ３１に同一端末デバイス４の送信するテキストデータが短時間内に絶え間なく出現することを防ぐ。
【００２４】
該端末デバイス消去オプション２１１を実行すると、該データ処理デバイス１の管理者は、不適宜なテキストデータを送信する端末デバイス４とデータ処理デバイス１との接続状態を中断し、該端末デバイス４がテキストデータをデータ処理デバイス１に送信できないようにすることができる。
【００２５】
バックグラウンドスイッチオプション２１２を実行すると、データ処理デバイス１が適宜な背景画像を選択し、テキストディスカッションウィンドウ３１内に提供する。
【００２６】
図４に開示するように、テキストブロードキャスティング制御プロシージャ２２は、テキストコンテンツオプション２２０、追加オプション２２１、全選択オプション２２２、テキスト表示オプション２２３、テキスト切換速度オプション２２４を含む。よって、該テキストブロードキャスティング制御プロシージャ２２を実行すると、データ処理デバイス１がテキストブロードキャスティング画面８１を発生させ、該テキストブロードキャスティング画面８１にはテキストコンテンツオプション２２０、追加オプション２２１、全選択オプション２２２、テキスト表示オプション２２３、テキスト切換速度オプション２２４が含まれる。
【００２７】
テキストコンテンツオプション２２０は、テキストデータの入力に提供される。
【００２８】
追加オプション２２１は、テキストコンテンツオプション２２０によって入力したテキストデータを全選択オプション２２２の次の一列に加えることができる。
【００２９】
全選択オプション２２２は、該追加オプション２２１によって加えられたそれぞれの列のテキストデータを表示することができる。
【００３０】
テキスト表示オプション２２３は、選択に供する複数のテキストプレーバックフォーマット（例えば一字一字表示するフォーマット、列ごとに表示するフォーマット等）を設定してなり、該全選択オプション２２２内の全ての文字の表示方式を制御する。
【００３１】
該テキスト切換速度オプション２２４は、該テキストプレーバックフォーマットの該全選択オプション２２２内のテキストデータプレーバック速度を制御する。
【００３２】
よって、テキストブロードキャスティング制御プロシージャ２２は、テキストブロードキャスティングウィンドウ３２において、異なる様相で全選択オプション２２２の全てのテキストデータを表示することができる。
【００３３】
図５に開示するようにマルチメディアプレイバックプロシージャ２３は、少なくとも一以上のビデオディスプレープロシージャ２４、インスタントアナウンスプロシージャ２５、インスタントビデオインフォメーションプロシージャ２６を含む。
【００３４】
ビデオディスプレープロシージャ２４は、ビデオ位置オプション２４０、イメージ保留時間オプション２４１、ビデオ追加オプション２４２と、全ビデオ位置オプション２４３を含み、ビデオディスプレープロシージャ２４を執行するとデータ処理デバイス１はビデオ管理画面８２を発生させる。該ビデオ管理画面８２にはビデオ位置オプション２４０、イメージ保留時間オプション２４１、ビデオ追加オプション２４２と、全ビデオ位置オプション２４３が表示される。ビデオ位置オプション２４０は、ビデオソースの位置を入力することができる。イメージ保留時間オプション２４１は、該ビデオソース位置における画像表示時間を設定することができる。ビデオ追加オプション２４２は、該ビデオソース位置を全ビデオ位置オプション２４３内に追加することができる。よって、マルチメディア表示ウィンドウ３３には全ビデオ位置オプション２４３内の全てのビデオソース位置の画像表示時間に基づき、該ビデオソース位置の画像を順に再生することができる。
【００３５】
図６に開示するようにインスタントアナウンスプロシージャ２５は、それぞれ返信メッセージオプション２５０、現時点メッセージオプション２５１、テキストディスカッションオプション２５２を設けてなる。インスタントアナウンスプロシージャ２５を実行すると、データ処理デバイス１はインスタントアナウンス画面８３を発生させ、該インスタントアナウンス画面８３には返信メッセージオプション２５０、現時点メッセージオプション２５１、テキストディスカッションオプション２５２が表示される。返信メッセージオプション２５０は、返信メッセージを入力することができ、現時点メッセージオプション２５１において全ての返信メッセージを表示することができる。テキストディスカッションオプション２５２は、テキストディスカッションウィンドウ３１内のデータを表示することができる。よって、他のマルチメディア表示ウィンドウに現時点メッセージオプション２５１内の全ての返信メッセージを順に再生する。このため端末デバイス４は、データ処理デバイス１のユーザが返信するメッセージを受信することができる。
【００３６】
図７に開示するように、インスタントビデオインフォメーションプロシージャ２６は、テキストインフォメーションオプション２６０、テキスト保留時間オプション２６１、テキスト追加オプション２６２、全テキストオプション２６３を設けてなる。インスタントビデオインフォメーションプロシージャ２６を実行すると、データ処理デバイス１がインスタントビデオインフォメーション画面８４を発生させ、該インスタントビデオインフォメーション画面８４にはテキストインフォメーションオプション２６０、テキスト保留時間オプション２６１、テキスト追加オプション２６２、全テキストオプション２６３が表示される。テキストインフォメーションオプション２６０は、インスタントビデオウィンドウ３０の再生するコンテンツに関するテキストデータを入力することができる。テキスト保留時間オプション２６１は、該テキストデータの表示時間を設定することができる。
テキスト追加オプション２６２は、テキストインフォメーションオプション２６０に入力されたテキストデータを全テキストオプション２６３に追加することができる。よって他のマルチメディア表示ウィンドウ３３に全テキストオプション２６３内のすべてのテキストデータを順に再生することができる。
【００３７】
以上から明らかなように、コンビネーション画面３はインスタントビデオウィンドウ３０、テキストディスカッションウィンドウ３１、テキストブロードキャスティングウィンドウ３２、及び複数のマルチメディア表示ウィンドウ３３を含み、これらウィンドウは異なる制御プロシージャによって、異なるソース位置のデータを得ることができる。このため、端末デバイス４のユーザは、反復して異なるウィンドウに切り換える必要がなく、また、生放送のインスタント番組の制作について、インスタントビデオウォンドウ３０がスタジオ内の映像の再生領域を提供し、該テキストディスカッションウィンドウ３１を番組の視聴者のインスタントディスカッション領域とし、該テキストブロードキャスティングウィンドウ３２内のインスタントメッセージの再生領域とし、マルチメディア表示ウィンドウ３３は番組視聴者の画像、番組制作者の返信メッセージの領域とする。更に、それぞれのオプションは端末デバイス４と情報処理デバイス１との間のリンクを中断し、端末デバイス４の不適宜な行為が画面に出現しないように制御することができる。
【００３８】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００３９】
【図１】この発明によるシステムの構造を示した説明図である。
【図２】この発明におけるコンビネーションタイプのマルチメディアインスタント対話型画面を示した説明図である。
【図３】この発明におけるテキストトーク管理画面を示した説明図である。
【図４】この発明におけるテキストブロードキャスティング制御画面を示した説明図である。
【図５】この発明におけるビデオ管理画面を示した説明図である。
【図６】この発明におけるインスタントアナウンス画面を示した説明図である。
【図７】この発明におけるインスタントビデオインフォメーション画面を示した説明図である。
【符号の説明】
【００４０】
１…データ処理デバイス
２…管理プログラム
２０…ビデオプレイバック管理プロシージャ
２１…テキストトーク管理プロシージャ
２１０…スピーチ制限オプション
２１１…端末デバイス消去オプション
２１２…バックグラウンドスイッチオプション
２２…テキストブロードキャスティング制御プロシージャ
２２０…テキストコンテンツオプション
２２１…追加オプション
２２２…全選択オプション
２２３…テキスト表示オプション
２２４…テキスト切換速度オプション
２３…マルチメディアプレイバックプロシージャ
２４…ビデオディスプレープロシージャ
２４０…ビデオ位置オプション
２４１…イメージ保留時間オプション
２４２…ビデオ追加オプション
２４３…全ビデオ位置オプション
２５…インスタントアナウンスプロシージャ
２５０…返信メッセージオプション
２５１…現時点メッセージオプション
２５２…テキストディスカッションオプション
２６…インスタントビデオインフォメーションプロシージャ
２６０…テキストインフォメーションオプション
２６１…テキスト保留時間オプション
２６２…テキスト追加オプション
２６３…全テキストオプション
３…コンビネーション画面
３０…インスタントビデオウィンドウ
３１…テキストディスカッションウィンドウ
３２…テキストブロードキャスティングウィンドウ
３３…マルチメディア表示ウィンドウ
４…端末デバイス
５…デコード／エンコードデバイス
６…ビデオカメラデバイス
８０…テキストトーク管理画面
８１…テキストブロードキャスティング画面
８２…ビデオ管理画面
８３…インスタントアナウンス画面
８４…インスタントビデオインフォメーション画面
【図１】
2005269607.tif 000003
【図２】
2005269607.tif 000004
【図３】
2005269607.tif 000005
【図４】
2005269607.tif 000006
【図５】
2005269607.tif 000007
【図６】
2005269607.tif 000008
【図７】
2005269607.tif 000009
【外国語明細書】
INSTANT INTERACTIVE AUDIO/VIDEO
MANAGEMENT SYSTEM    
FIELD OF THE INVENTION
The present
invention relates to an instant interactive audio/video management system, more
particularly to an instant interactive audio/video management system having a
management program installed in an information processing device for
integrating an instant video window, a text discussion window, a text
broadcasting window and at least one media display window into a combined
screen and showing the combined screen and displaying information directly from
different sources.
BACKGROUND OF THE INVENTION
At present,
our world has entered into a new era with blooming information, various
high-tech products and network information products derived from the computer
are developed very quickly, not only shortening the time and distance between
people, but also becoming an integral part of our life, which can be considered
as a central nervous system of our society that has a broad coverage.  In the past, we had to spend much time
and costs before we could meet with friends and relatives in other places.  Now, with the network that shortens the
distance between people, the network audio/video multifunctional communication
method allows us to send our images and sound to places all over the
world.  As the information era has
arrived, Internet has become a necessary path for information distributions. 
As
described previously, the fast development of Internet in these years further
provides various multimedia services including the transmission of voices,
pictures and dynamic videos in addition to the transmission of traditional
emails, so that the general public can easily obtain plentiful and diversified
information services from this channel. 
Thus, logging on a network has become part of our daily life, and the
network product manufacturers also design various high-speed network devices
such as cable modem or asymmetric digital subscriber line (ADSL) modem to cope
with the trend and improve the transmission rate of the network.  Some network product manufacturers also
design various network peripherals such as the Voice over IP (VoIP) device to provide consumers a telecommunication
service over the network in order to greatly save the consumer’s expenditure
for long-distance calls or international communication costs, or a Video on
Demand (VoD) which is a technology allowing consumers
to select their desired movies from the video server anytime and play the movie
instantly.  Since the interactive
video on demand technology includes image and sound, therefore it is very
suitable for the media broadcast industry, which can achieve the purpose of
allowing consumers to freely select their desired information and having the
interactive effect.  Thus, it is
foreseeable that the video on demand will progressively become very popular in
the future. 
However,
not too many channels in the present media broadcast industry converts their
audio/video signals into digital television signals, so that the receiving end
with the installation of a set-top-box can give a high-resolution screen by the
digital television signals, and program productions and playbacks still remain
at the traditional production stage and cannot provide actual digital
interactive services.  The so-called
digital interactive mode of the digital interactive service refers to the
playback process fully controllable by the audience.  In the meantime, many people can play
video games, set up a request for a movie and have cross-talk services such as
the distance learning.  For example,
the present live show usually takes the recording and playback in a
studio.  If the program is opened
for call-ins, then the audience at the receiving end can dial a direct call for
an instant dialogue, but the host/hostess in the studio, the audience at the
scene, and staffs in the control room of the studio are unable to see the
viewing audience.  Therefore, the
host/hostess, control staff, audience at the scene and the call maker do not
have good interactions and may adversely affect the call-in effect.  Further, the staffs in the control room
cannot filter or select the viewing audience, such that the program may proceed
with unnecessary disturbances.
If
a live program can be conducted by the digital interactive service method, then
the staffs in the control room can effectively control the situation of the
viewing audiences, such that the images of the viewing audience can be
transmitted to the scene for instant dialogues, and good interactions with
instant images and sounds among the host/hostess in the studio, the audiences
at the scene and the viewing audience can be achieved in order to enhance the
effects of the program.  Therefore,
the way of using digital interactive service in the media broadcast industry demands
immediate attention. 
SUMMARY OF THE INVENTION
The
primary objective of the present invention is to provide an instant interactive
audio/video management system, which comprises a management program installed
in an information processing device, and such management program integrates an
instant video window, a text discussion window, a text broadcasting window and
at least one media display window into a combined screen, so that the
information processing device can send the combined screen to a terminal
device, and the terminal device can show the combined screen.  Therefore, a user of the terminal device
can see the combined screen and the windows can display information directly
from different sources.
The above and
other objects, features and advantages of the present invention will become
apparent from the following detailed description taken with the accompanying
drawing.  
BRIEF DESCRIPTION OF THE DRAWINGS
FIG.
1 is a view of the structure of the present invention.
FIG.
2 is a view of the instant interactive screen of the combine multimedia
according to the present invention.
FIG.
3 is a view of the text talk management screen according to the present
invention.
FIG.
4 is a view of the text broadcasting control according to the present
invention.
FIG.
5 is a view of the video management screen according to the present invention.
FIG.
6 is a view of the instant announcement screen according to the present
invention.
FIG.
7 is a view of the instant video information screen according to the present invention.
DETAILED
DESCRIPTION OF THE PREFERRED EMBODIMENTS
Please refer
to FIGS. 1 and 2 for an instant interactive audio/video management system
according to the present invention. 
In the figures, an information processing device 1 (such as a computer)
comprises a management program 2, and the management program 2 comprises a
video playback management procedure 20, a text talk management procedure 21, a
text broadcasting control procedure 22 and at least one multimedia playback
procedure 23, such that after the management program 2 is run, the foregoing procedure
will be started, so that the video playback management procedure 20 generates
an instant video window 30 and the text talk management procedure 21 generates
a text discussion window 31, and the text broadcasting procedure 22 generates a
text broadcasting window 32, and these multimedia playback procedures 23
generate a multimedia display window 33 individually.  The management program 2 can integrate
the instant video windows 30, text discussion window 31, text broadcasting
window 32 and multimedia display windows 33 into a combined screen 3.  Therefore, the information processing
device 1 can send the combined screen 3 to at least one terminal device 4 (such
as a computer, a television or a handset, etc), and the terminal device 4 can
play the combined screen 3, so that the users of the terminal device 4 can see
all kinds of information of each window of the combined screen 3, and such arrangement
can solve the problem of the traditional terminal device requiring the switches
between screens and the shortcoming of unable to achieve the instant
audio/video interactive effect.
In a preferred
embodiment of the present invention, the information processing device 1 is
connected to a decoder/encoder device 5, and the decoder/encoder 5 is connected
to at least one camera device 6, so that the decoder/encoder device 5 can
convert the audio/video signals recorded by the camera device 6 into an instant
video signal receivable by the video playback management procedure 20 and the
video playback management procedure 20 can process one of the instant video
signals and generates the instant video window 30.  
The
information processing device 1 according to the preferred embodiment of the invention
is connected directly or indirectly to the terminal device 4 through a network
7 (such as Internet, telecommunication network or satellite network), so that
the information processing device 1 can receive the text information inputted
into the terminal device 4 and drive the text talk management procedure 21 to
process such text data and generate the text discussion window 31.  The method of displaying the text
discussion window 31 in the terminal device adopts the technical measures
commonly used in the chartrooms of different websites, and thus will not be
described here.
Please
refer to FIG. 3 for the text talk management procedure 21 according to the
present invention comprises a restricted speech option 210, a terminal device
elimination option 211 and a background switch option 212, such that after the
text talk management procedure 21 is executed, the information processing
device 1 can show the text talk management screen 80, and the text talk
management screen 80 includes the restricted speech option, terminal device
elimination option 211 and background switch option 212; wherein the restricted
speech option 210 can set up the time interval for each terminal device 4 to
send out the text data and avoid the text discussion window 31 from repeatedly
showing the text data from the same terminal device 4 within a short time.  After the terminal device elimination
option 211 is executed, the manager of the information processing device 1 runs
the terminal device elimination option 211 to interrupt the connection status
with the information processing device 1 if the terminal device 4 sends out an
improper text data, so that the terminal device 4 cannot send the text data to
the information processing device 1. 
After the background switch option 212 is executed, the information
processing device 1 selects an appropriate background image in the text
discussion window 31.
Please
refer to FIG. 4 for the text broadcasting control procedure 22 according to a
preferred embodiment of the invention, which comprises a text content option
220, an add option 221, an all option 222, a text display option 223 and a text
switch speed option 224, so that after the text broadcasting control procedure
22 is executed, the information processing device 1 can produce a text
broadcasting control screen 81, and the text broadcasting control screen 81
individually shows the text content option 220, the add option 221, the all
option 222, the text switch speed option 224 and the text display option 223;
wherein the text option 220 can input text data, and the add option 221 adds
the text data inputted in the text option 220 to the next row of the all option
222.  The all option 222 can display
every row of text data added by the add option 221, and the text display option
223 comprises a plurality of text playback formats (such as a word-by-word
display format and a row-by-row display format) for user’s choice to control
all text display methods in the all option 222, and the text switch speed
option 224 controls the playback speed of the text data in the all option 222
having that particular text playback format, so that the text broadcasting control
procedure 22 shows all of the text data in the all option 222 with different
formats in the text broadcasting window 32.
Please
refer to FIG. 5 for the multimedia playback procedure 23 according to this embodiment,
which comprises a video display procedure 24, an instant announcement procedure
25, and an instant video information procedure 26; wherein the video display
procedure 24 comprises a video position option 240, an image retaining time
option 241, an add video option 242 and an all video position option 243, so
that after the video display procedure 24 is run, the information processing
device 1 produces a video management screen 82, which can show the video position
option 240, the image retaining time option 241, the add video option 242 and
the all video position option 243. 
The video position option 240 can input a video source position, and the
video image retaining time option 241 can set the video display time for the
video source position, and the add video option 242 can add the video source position
to the all video position option 243. 
Therefore, one of the media display windows 33 will display the images
at the video source positions in sequence according to the all video source
positions in the all video position option 243.  
Please
refer to FIG. 6 for the instant announcement procedure 25 which comprises a
reply message option 250, a present message option 251 and a text discussion
option 252, so that after the instant announcement procedure 25 is executed,
the information processing device 1 generates an instant announcement screen
83.  The instant announcement screen
83 can show the reply message option 250, and the current message option 251 and
the text discussion option 252; wherein the reply message option 250 can input
a reply message, and the current message option 251 can show all reply
messages.  The text discussion
option 252 can show the data in the text discussion window 31.  Therefore, all reply messages of another
media display window 33 can be displayed in sequence in another media display
window 33, such that the terminal device 4 can receive the signal replied by
the user of the information processing device 1.
Please
refer to FIG. 7 for the instant video information procedure 26, which comprises
a text information option 260, a text retaining time option 261, an add text
option 262 and an all text option 263, such that after the instant video
information procedure 26 is run, the information processing device 1 can
produce an instant video information screen 84, and the instant video
information screen 84 can show the text information option 260 can input the
playback content of the text data of the instant video window 30.  The text retaining time option 261 can
set the display time of the text data, and the text data inputted by the add
text option 260 is added into the all text option 263, such that all text data
can be displayed in another media display window 33 according to the all text
option 263. 
From
the description above, the combined screen 3 comprises an instant video window
30, a text discussion window 31, a text broadcasting window 32 and a plurality
of media display windows 33.  These
windows individually adopt different control procedures to obtain data from
different sources, so that the users of the terminal device 4 no longer need to
repeatedly switch between different windows anymore.  As to the production of live shows, the
instant video window 30 can provide a video playback area in the studio, and
the text discussion window 31 serves as an instant discussion area for the
program audience and the text playback window 32 serves as the instant message
playback area.  Further, the media
display windows 33 serves as an area for displaying the images of the audience
and the reply from the program producer. 
Each option can interrupt the connection between the terminal device 4
and the information processing device 1 for controlling and preventing improper
actions of the terminal device 4 from being shown on the screen.        
While
the invention has been described by means of specific embodiments, numerous
modifications and variations could be made thereto by those skilled in the art
without departing from the scope and spirit of the invention set forth in the
claims.
WHAT IS CLAIMED IS:
1.  An
instant interactive audio/video management system, having an information
processing device coupled selectively in a direct and an indirect connection
with at least one terminal device, and said information processing device
comprising a management program, and said management program comprising an
video display management procedure, a text talk management procedure, a text
broadcasting control procedure and at least one multimedia playback procedure,
such that after said management program being executed, the procedure of said
management program comprising the steps of: 
generating an
instant video window by said video playback management procedure;
generating a
text discussion window by said text talk management procedure;
generating a
text broadcasting window by said text broadcasting control procedure;
generating a
multimedia display window by said multimedia playback procedure;
said
management program converting said instant video window, text discussion
broadcasting window and said multimedia display window into a combined screen;
and 
said
information processing device sending said combined screen to said each
terminal, such that said terminal device plays said combined screen and said
terminal device shows said information from different sources on said combined
screen.
2.  The
system of claim 1, wherein said information processing device is coupled to a
decoder/encoder device, and said decoder/encoder device is coupled to at least
one camera device, such that said decoder/encoder device converts an
audio/video signal created by said camera device into an instant video signal
acceptable by said video playback management procedure, and said video playback
management procedure processes one of said instant video signals and generate
said instant video window.
3.  The
system of claim 1, wherein said text talk management procedure comprises a
restricted speech option, a terminal device elimination option and a background
switch option, such that after said text talk management procedure is executed,
said information processing device shows a text talk management screen and said
text talk management screen comprises a restricted speech option a terminal
device elimination option and a background switch option, such that the procedure
of said text talk management procedure comprises the steps of:
said
restricted speech option setting up a time interval for sending out a text data
from said each terminal device;
an information
processing device manager executing said terminal device elimination option
being used to interrupt the connection between one of said terminal devices and
said information processing device after said terminal device elimination
option being executed; and
said
information processing device selecting an appropriate background image in said
text discussion area after said background switch option being executed.
4.  The
system of claim 1, wherein said text broadcasting procedure comprises a text
content option, an add option, an all option, a text display option and a text
switch speed option, such that said information processing device generates a
text broadcasting control screen, and said text broadcasting control screen
individually shows said add option, said all option, said text display option
and said text switch speed option after said text broadcasting control
procedure is executed, and the procedure of said options comprises the steps
of:
adding a text
data inputted from said text data input area into the next row of said all
option;
said all
option displaying every row of said added text data;
said text
display option comprising a plurality of text playback formats for user’s
choice to control the display method of all text in said all option;
said text
switch speed option controlling the playback speed of said text data in said
text playback format in said all option, such that said text broadcasting
control procedure is capable of showing all text data in said all option on
said text broadcasting window.
5.  The
system of claim 1, wherein said multimedia playback procedure comprises a video
position option, a video retaining time option and an add video option such
that after said video display procedure is executed, said information
processing device generates a video management screen, and said video
management screen displays said video position option, said video retaining
time option, said add video option and said all video position option, and the control
procedure of said options individually comprises the steps of:
inputting a
video source position by said video position option;
setting a
video display time for said video source position by said video retaining time
option; and
said add video
option adding said video source position into said all video position option,
such that an image of said video source position is displayed on one of said
media display windows according to said display time of all video source
position in said all video position option. 
6.  The
system of claim 1, wherein said multimedia playback procedure comprises an instant
announcement procedure, and said instant announcement procedure individually
comprises a reply message option, a current message option and a text
discussion option, such that after said instant announcement procedure is
executed, said information processing device generates an instant announcement
screen and said instant announcement screen shows said reply message option,
said current message option and said text discussion option, and the control
procedure of said options individually comprises the steps of:
inputting a
reply message from said reply message option;
displaying all
of said reply messages from said current message option; and
displaying
data onto said text discussion window by said text discussion option, thereby
said terminal device receives a reply signal from a user of said information
processing device and display all reply messages in said current message option
in sequence onto another media video window.   
7.  The
system of claim 1, wherein said multimedia playback procedure comprises an instant
video information procedure, and said instant video information procedure
comprises a text message option, a text retaining time option, an add text
option and an all text option, such that after said instant video information
procedure is executed, said information processing device generates an instant
video information screen and said instant video information screen shows said
text information option, said text retaining time option and said all text
option, and the control procedure of said option individually comprises the
steps of:
inputting a
text data related to the content of said playback by said text information option;
setting a
display time for said text data by said text retaining time option;
adding a text
data inputted from said text information option by said add text option into
said all text option, so that all of said text data in said all text option are
shown onto another multimedia display window.
ABSTRACT OF THE
INVENTION
The
present invention discloses an instant interactive audio/video management system,
which comprises a management program installed in an information processing
device, and the management program integrates an instant video window, a text
discussion window, a text broadcasting window and at least one media display
window into a combined screen, so that the information processing device can
send the combined screen to a terminal device, and the terminal device can show
the combined screen.  Therefore, a
user of the terminal device can see the combined screen and the windows can display
information directly from different sources.
2005269607.tif 000010
2005269607.tif 000011
2005269607.tif 000012
2005269607.tif 000013
2005269607.tif 000014
2005269607.tif 000015
2005269607.tif 000016